(57)【要約】【課題】画像読取装置において、安価で簡素な構成によって、画像読取面上に埃が溜まるのを防止する。【解決手段】画像読取装置５は、画像の描かれた原稿２を搬送する搬送ローラ２１、２２と、原稿２の画像を光学的に読取るための画像読取センサ２３と、原稿２の搬送路を形成し、搬送される原稿２をガイドするガイド体２４、２５、２６とを備える。画像読取センサ２３は、受光レンズ３２の前面にガラス板等の部材が設けられておらず、受光レンズ３２の表面がセンサ収納体３３の外部空間に露呈しており、受光レンズ３２の表面が画像読取面２３ａとなっている。そして、画像読取センサ２３は、搬送ローラ２１、２２により搬送される原稿２の上側に、画像読取面２３ａを下向きにして、画像読取面２３ａが原稿２の搬送路に臨むように配置されている。【選択図】図２
2008147870.tif 000002
【特許請求の範囲】
【請求項１】
画像の描かれた原稿を搬送する原稿搬送手段と、前記原稿搬送手段により搬送される原稿の画像を光学的に読取るための画像読取センサと、前記原稿搬送手段により搬送される原稿の搬送路を形成し、前記原稿搬送手段により搬送される原稿をガイドするガイド体とを備え、
前記画像読取センサは、一方向に配列された多数の受光素子と、前記各受光素子に１対１に設けられた受光レンズと、前記受光素子及び受光レンズを収納するセンサ収納体とを有するＣＩＳであり、該画像読取センサの画像読取面が前記ガイド体により形成される搬送路に臨むように配置され、
前記原稿搬送手段により原稿を搬送しつつ前記画像読取センサにより原稿の画像を読取る画像読取装置において、
前記画像読取センサは、前記受光レンズの表面が前記センサ収納体の外部空間に露呈されて前記画像読取面となっており、前記原稿搬送手段により搬送される原稿の上側に前記画像読取面を下向きにして配置されており、
前記受光レンズの表面は、前記ガイド体の原稿ガイド面よりも奥まった位置にあり、
前記受光レンズの焦点は、概ね前記原稿搬送手段により搬送される原稿の位置にある、
ことを特徴とする画像読取装置。
【請求項２】
画像の描かれた原稿を搬送する原稿搬送手段と、前記原稿搬送手段により搬送される原稿の画像を光学的に読取るための画像読取センサと、前記原稿搬送手段により搬送される原稿の搬送路を形成し、前記原稿搬送手段により搬送される原稿をガイドするガイド体とを備え、
前記画像読取センサは、一方向に配列された多数の受光素子と、前記各受光素子に１対１に設けられた受光レンズと、前記受光素子及び受光レンズを収納するセンサ収納体とを有するＣＩＳであり、該画像読取センサの画像読取面が前記ガイド体により形成される搬送路に臨むように配置され、
前記原稿搬送手段により原稿を搬送しつつ前記画像読取センサにより原稿の画像を読取る画像読取装置において、
前記画像読取センサは、前記受光レンズの表面が前記センサ収納体の外部空間に露呈されて前記画像読取面となっており、前記原稿搬送手段により搬送される原稿の上側に前記画像読取面を下向きにして配置されている、
ことを特徴とする画像読取装置。
【請求項３】
前記受光レンズの表面は、前記ガイド体の原稿ガイド面よりも奥まった位置にある、
ことを特徴とする請求項２に記載の画像読取装置。
【発明の詳細な説明】
【技術分野】
【０００１】
本発明は、原稿に描かれた画像を読取る画像読取装置に関するものである。
【背景技術】
【０００２】
従来から、例えばファクシミリや複写機等の電子機器においては、原稿に描かれた画像を読取る画像読取装置が搭載されている。このような画像読取装置としては、図３に示す構成のものが知られている。
【０００３】
図３に示す画像読取装置６０は、原稿６１を搬送する搬送ローラ６２、６３と、画像を読取るための画像読取センサ６４と、原稿６１の搬送路を形成し、搬送される原稿６１をガイドするガイド体６５、６６、６７を備えており、搬送ローラ６２、６３により原稿６１を搬送しつつ画像読取センサ６４により原稿６１の画像を読取るようになっている。
【０００４】
原稿６１は、ガイド体６５、６６、６７によりガイドされながら、画像の描かれている原稿面を下向きにして、搬送ローラ６２、６３により搬送されるようになっている。ガイド体６５、６６とガイド体６７との間の空間が原稿６１の搬送路となっている。
【０００５】
画像読取センサ６４は、いわゆるＣＩＳ（Contact Image sensor）と呼ばれるセンサであり、原稿６１の搬送方向と直交する方向に配列された多数の受光素子７１と、各受光素子７１に１対１に設けられた受光レンズ７２と、受光レンズ７２の前面に設けられたガラス板７３と、これら受光素子７１、受光レンズ７２、及びガラス板７３を収納、支持するセンサ収納体７４とを有しており、ガラス板７３の表面が画像読取面６４ａとなっている。なお、本明細書において、画像読取面とは、画像読取センサにおける読取対象物と対向する側の面のことを言う。
【０００６】
画像読取センサ６４は、搬送ローラ６２、６３により搬送される原稿６１の下側に、画像読取面６４ａ（ガラス板７３の表面）を上向きにして（すなわち受光素子７１の受光面を上向きにして）、画像読取面６４ａが原稿６１の搬送路に臨むように配置されている。画像読取面６４ａは、ガイド体６５の原稿ガイド面６５ａと略同一面を形成している。搬送ローラ６２、６３により搬送される原稿６１は、原稿６１の重みによって、画像読取面６４ａに接触した状態で搬送される。
【０００７】
また、原稿を搬送しつつ画像読取センサにより原稿の画像を読取る画像読取装置において、画像読取センサを、搬送される原稿の上側に画像読取面を下向きにして配置したものが知られている（例えば特許文献１及び特許文献２参照）。特許文献１に記載の画像読取装置は、画像読取面が搬送ローラに僅かな隙間（３ｍｍ程度）をおいて対向しており、この隙間を原稿が通過するようになっている。特許文献２に記載の画像読取装置は、画像読取面の近くに凸状の制御部材が設けられており、原稿が画像読取面に摺られて移動しないようになっている。
【特許文献１】特開２００５−５１５６１号公報
【特許文献２】特開２００４−４８１４９号公報
【発明の開示】
【発明が解決しようとする課題】
【０００８】
ところが、上述した従来の画像読取装置６０においては、画像読取センサ６４の画像読取面６４ａが上向きになっているため、埃などが画像読取面６４ａ上に溜まってしまい、しかも、原稿６１が画像読取面６４ａに接触した状態で搬送されるため、画像読取面６４ａ（ガラス板７３の表面）が汚れてしまう。また、画像読取装置６０においては、画像読取センサ６４がガラス板７３を有しているため、ガラス板７３の分だけコストが高くなる。
【０００９】
一方、上述した特許文献１及び特許文献２に記載の画像読取装置においては、画像読取センサの画像読取面が下向きになっているため、埃などが画像読取面上に溜まり難い。また、特許文献２に記載の画像読取装置においては、凸状の制御部材によって原稿が画像読取面に摺られて移動しないようになっているため、画像読取面が汚れ難い。
【００１０】
しかしながら、これら特許文献１及び特許文献２に記載の画像読取装置においては、従来の画像読取装置６０と同様に、画像読取センサがガラス板を有しているため、ガラス板の分だけコストが高くなる。
【００１１】
本発明は、上記課題を解決するためになされたものであり、安価で簡素な構成によって、画像読取面上に埃が溜まるのを防止することができる画像読取装置を提供することを目的とする。
【課題を解決するための手段】
【００１２】
上記目的を達成するために請求項１の発明は、画像の描かれた原稿を搬送する原稿搬送手段と、原稿搬送手段により搬送される原稿の画像を光学的に読取るための画像読取センサと、原稿搬送手段により搬送される原稿の搬送路を形成し、原稿搬送手段により搬送される原稿をガイドするガイド体とを備え、画像読取センサは、一方向に配列された多数の受光素子と、各受光素子に１対１に設けられた受光レンズと、受光素子及び受光レンズを収納するセンサ収納体とを有するＣＩＳであり、該画像読取センサの画像読取面がガイド体により形成される搬送路に臨むように配置され、原稿搬送手段により原稿を搬送しつつ画像読取センサにより原稿の画像を読取る画像読取装置において、画像読取センサは、受光レンズの表面がセンサ収納体の外部空間に露呈されて画像読取面となっており、原稿搬送手段により搬送される原稿の上側に画像読取面を下向きにして配置されており、受光レンズの表面は、ガイド体の原稿ガイド面よりも奥まった位置にあり、受光レンズの焦点は、概ね原稿搬送手段により搬送される原稿の位置にあるものである。
【００１３】
請求項２の発明は、画像の描かれた原稿を搬送する原稿搬送手段と、原稿搬送手段により搬送される原稿の画像を光学的に読取るための画像読取センサと、原稿搬送手段により搬送される原稿の搬送路を形成し、原稿搬送手段により搬送される原稿をガイドするガイド体とを備え、画像読取センサは、一方向に配列された多数の受光素子と、各受光素子に１対１に設けられた受光レンズと、受光素子及び受光レンズを収納するセンサ収納体とを有するＣＩＳであり、該画像読取センサの画像読取面がガイド体により形成される搬送路に臨むように配置され、原稿搬送手段により原稿を搬送しつつ画像読取センサにより原稿の画像を読取る画像読取装置において、画像読取センサは、受光レンズの表面がセンサ収納体の外部空間に露呈されて画像読取面となっており、原稿搬送手段により搬送される原稿の上側に画像読取面を下向きにして配置されているものである。
【００１４】
請求項３の発明は、請求項２に記載の画像読取装置において、受光レンズの表面は、ガイド体の原稿ガイド面よりも奥まった位置にあるものである。
【発明の効果】
【００１５】
請求項１の発明によれば、受光レンズの表面が画像読取面となっている（すなわち従来のように受光レンズの前面にガラス板を有していない）ため、コストが低く、しかも、画像読取面が下向きになっているため、埃などが画像読取面上に溜まり難い。つまり、安価で簡素な構成によって、画像読取面上に埃が溜まるのを防止することができる。さらに、受光レンズの表面すなわち画像読取面がガイド体の原稿ガイド面よりも奥まった位置にあるため、搬送される原稿が画像読取面に接触することがなく、これにより、安価で簡素な構成によって、画像読取面が汚れるのを防止することができる。
【００１６】
請求項２の発明によれば、受光レンズの表面が画像読取面となっている（すなわち従来のように受光レンズの前面にガラス板を有していない）ため、コストが低く、しかも、画像読取面が下向きになっているため、埃などが画像読取面上に溜まり難い。つまり、安価で簡素な構成によって、画像読取面上に埃が溜まるのを防止することができる。
【００１７】
請求項３の発明によれば、受光レンズの表面すなわち画像読取面がガイド体の原稿ガイド面よりも奥まった位置にあるため、搬送される原稿が画像読取面に接触することがなく、これにより、安価で簡素な構成によって、画像読取面が汚れるのを防止することができる。
【発明を実施するための最良の形態】
【００１８】
以下、本発明を具体化した実施形態に係る画像読取装置について図面を参照して説明する。図１（ａ）（ｂ）は、本実施形態による画像読取装置を備えるファクシミリの構成を示す。ファクシミリ１は、原稿２に描かれた画像を読取って、その読取った画像を通信回線を介して送信し、また、通信回線を介して画像を受信して、その受信した画像を記録用紙３に記録する装置である。
【００１９】
ファクシミリ１は、原稿２が載置される原稿トレイ４と、原稿２の画像を読取る画像読取装置５と、記録用紙３が載置される記録用紙トレイ６と、ファクシミリ１の各種動作を指示するための操作パネル７と、これらを収納、支持する筺体８等を備える。筺体８は、下ケース１１と、上カバー１２とを有しており、上カバー１２は、筺体８の内部を開放できるように、下ケース１１に対して開閉自在になっている。
【００２０】
原稿トレイ４には、１枚又は複数枚の原稿２が重ねられて載置される。原稿トレイ４に載置された原稿２は、不図示の原稿取込ローラにより１枚ずつ筺体８の内部に取り込まれ、画像読取装置５により画像が読取られた後、原稿排出口８ａから筺体８の外部に排出される。原稿２は、画像が描かれている原稿面を上向きにして原稿トレイ４に載置される。
【００２１】
画像読取装置５は、原稿２を搬送する原稿搬送手段である搬送ローラ２１、２２と、原稿２の画像を光学的に読取るための画像読取センサ２３と、原稿２の搬送路を形成し、搬送される原稿２をガイドするガイド体２４、２５、２６等を備えている。この画像読取装置５は、画像読取センサ２３が固定されており、搬送ローラ２１、２２により原稿２を搬送しつつ画像読取センサ２３により原稿２の画像を読取るようになっている。画像読取装置５の詳細については後述する。
【００２２】
記録用紙トレイ６には、１枚又は複数枚の記録用紙３が重ねられて載置される。記録用紙トレイ６に載置された記録用紙３は、不図示の記録用紙取込ローラにより１枚ずつ筺体８の内部に取り込まれ、不図示の画像記録手段により画像が記録された後、記録用紙排出口８ｂから筺体８の外部に排出される。
【００２３】
操作パネル７は、筺体８の上カバー１２の上面に設けられており、原稿２からの画像の読取り、画像の送受信、記録用紙３への画像の記録等のファクシミリ１の各種動作を指示するために、ユーザによって操作される。ファクシミリ１は、操作パネル７の操作を受けて、不図示の制御部による制御のもと、各種動作を行う。
【００２４】
図２は、画像読取装置５の構成を示す。上述のように、画像読取装置５は、搬送ローラ２１、２２と、画像読取センサ２３と、ガイド体２４、２５、２６等を備えている。原稿２は、ガイド体２４、２５、２６によりガイドされながら、画像の描かれている原稿面を上向きにして、搬送ローラ２１、２２により搬送されるようになっている。ガイド体２４と、ガイド体２５、２６との間の空間が原稿２の搬送路となっている。
【００２５】
画像読取センサ２３は、画像の濃淡を光学的に検出して画像を読取るセンサである。この画像読取センサ２３は、いわゆるＣＩＳ（Contact Image sensor）と呼ばれるセンサであり、一方向（原稿２の搬送方向と直交する方向）に配列された多数の受光素子３１と、各受光素子３１に１対１に設けられた受光レンズ３２と、これら受光素子３１及び受光レンズ３２を収納、支持するセンサ収納体３３とを有している。
【００２６】
画像読取センサ２３は、受光レンズ３２の前面にガラス板等の部材が設けられておらず、受光レンズ３２の表面がセンサ収納体３３の外部空間に露呈されている。従って、画像読取センサ２３は、受光レンズ３２の表面が画像読取面２３ａとなっている。なお、本明細書において、画像読取面とは、画像読取センサにおける読取対象物と対向する側の面のことを言う。受光レンズ３２の焦点は、受光レンズ３２の表面から略３ｍｍの位置にある。
【００２７】
画像読取センサ２３は、原稿２の搬送方向において、搬送ローラ２１、２２よりも上流側に配置されている。そして、画像読取センサ２３は、搬送ローラ２１、２２により搬送される原稿２の上側に、画像読取面２３ａ（受光レンズ３２の表面）を下向きにして（すなわち受光素子３１の受光面を下向きにして）、画像読取面２３ａが原稿２の搬送路に臨むように配置されている。また、画像読取センサ２３は、受光レンズ３２の表面（画像読取面２３ａ）がガイド体２５の原稿ガイド面２５ａよりも奥まった位置にあるように、そして、受光レンズ３２の焦点が概ね搬送ローラ２１、２２により搬送される原稿２の位置にあるように（つまり原稿２が受光レンズ３２の表面から３ｍｍ前後の位置を通るように）配置されている。
【００２８】
このような構成の画像読取装置５は、不図示の制御部による制御のもと、搬送ローラ２１、２２により原稿２を搬送しつつ画像読取センサ２３により原稿２の画像を読取るようになっている。このとき、原稿２は、ガイド体２４とガイド体２５によりガイドされながら搬送されて、画像読取センサ２３の画像読取面２３ａの下方を通過し、さらに、ガイド体２４とガイド体２６によりガイドされながら搬送されて、上記原稿排出口８ａ（図１（ａ）参照）から筺体８の外部に排出される。
【００２９】
なお、搬送ローラ２１、及びガイド体２４は、下ケース１１に支持されており、搬送ローラ２２、画像読取センサ２３、及びガイド体２５、２６は、上カバー１２に支持されている。従って、上カバー１２を開くことにより、原稿２の搬送路が開放されて、画像読取センサ２３の画像読取面２３ａが露呈され、これにより、画像読取面２３ａの清掃等のメンテナンスを行えるようになっている。
【００３０】
このような構成の画像読取装置５によれば、受光レンズ３２の表面が画像読取面２３ａとなっている（すなわち受光レンズ３２の前面にガラス板等の部材が設けられていない）ため、コストが低く、しかも、画像読取面２３ａが下向きになっているため、埃などが画像読取面２３ａ上に溜まり難い。つまり、安価で簡素な構成によって、画像読取面２３ａ上に埃が溜まるのを防止することができる。
【００３１】
さらに、受光レンズ３２の表面すなわち画像読取面２３ａがガイド体２４の原稿ガイド面２５ａよりも奥まった位置にあるため、搬送される原稿２が画像読取面２３ａに接触することがなく、これにより、安価で簡素な構成によって、画像読取面２３ａが汚れるのを防止することができる。
【００３２】
なお、本発明は、上記実施形態の構成に限られず、種々の変形が可能である。例えば、搬送ローラは、原稿の搬送方向において、画像読取センサより上流側にあってもよい。画像読取センサと搬送ローラとの間にガイド体があってもよい。画像読取センサは、センサ収納体を備えていなくてもよい。本発明の画像読取装置は、ファクシミリに限られず、例えば複写機等の電子機器にも適用可能である。
【図面の簡単な説明】
【００３３】
【図１】（ａ）は本発明の一実施形態に係る画像読取装置を備えるファクシミリの概略構成を示す斜視図、（ｂ）は同ファクシミリの一部破断した側面図。
【図２】同画像読取装置の構成を示す図１（ｂ）を拡大した側面図。
【図３】従来の画像読取装置の構成を示す側面図。
【符号の説明】
【００３４】
１    ファクシミリ
２    原稿
３    記録用紙
４    原稿トレイ
５    画像読取装置
６    記録用紙トレイ
７    操作パネル
８    筺体
８ａ    原稿排出口
８ｂ    記録用紙排出口
１１    下ケース
１２    上カバー
２１、２２    搬送ローラ
２３    画像読取センサ
２３ａ    画像読取面
２４、２５、２６    ガイド体
２５ａ    原稿ガイド面
３１    受光素子
３２    受光レンズ
３３    センサ収納体
【図１】
2008147870.tif 000003
【図２】
2008147870.tif 000004
【図３】
2008147870.tif 000005